(57)【要約】【課題】  スペース効率が良い状態で室内などに設置できるとともに、電源コードなどが邪魔にならない表示装置用のスタンドを提供する。【解決手段】  表示装置１０がほぼ上端部に取り付けられる支柱２１と、ほぼＶ字形状をして、中間部で支柱２１をほぼ直立状態に保持し、支柱２１に取り付けられた表示装置１０の表示面１１側である手前側に、ほぼＶ字形状の一端２３ａ及び他端２３ｂが位置するベース部２３と、ベース部２３の複数箇所に配置されたキャスタ２５とを備えた形状とした。【選択図】      図１ 
2006030913.tif 000002
【特許請求の範囲】
【請求項１】
表示装置を保持する表示装置用スタンドにおいて、
前記表示装置がほぼ上端部に取り付けられる支柱と、
ほぼＶ字形状をして、中間部で前記支柱をほぼ直立状態に保持し、前記支柱に取り付けられた表示装置の表示面側である手前側に、前記ほぼＶ字形状の一端及び他端が位置するベース部と、
前記ベース部の複数箇所に配置されたキャスタとを備えた
表示装置用スタンド。
【請求項２】
請求項１記載の表示装置用スタンドにおいて、
前記ほぼＶ字形状のベース部には、電源コードの巻き取りリールを配置した
表示装置用スタンド。
【請求項３】
請求項２記載の表示装置用スタンドにおいて、
前記巻き取りリールに取り付けられた電源コードに接続された電源コンセントを備えた
表示装置用スタンド。
【請求項４】
請求項１記載の表示装置用スタンドにおいて、
前記支柱の背面側に、前記表示装置に接続されたコードを保持する溝部を備えた
表示装置用スタンド。
【請求項５】
請求項４記載の表示装置用スタンドにおいて、
前記溝部に保持されたコードが、溝部から外れるのを阻止する規制部材を設け、
当該規制部材の表面に、さらに別のコードの保持部を形成した
表示装置用スタンド。
【請求項６】
請求項１記載の表示装置用スタンドにおいて、
前記ベース部のほぼＶ字形状の一端と他端との間の空間に配置され、前記支柱に取り付けられる棚を設けた
表示装置用スタンド。
【発明の詳細な説明】
【技術分野】
【０００１】
本発明は、例えば液晶表示装置の如き薄型で比較的大型の表示装置を保持するフロアスタンドに適用して好適な表示装置用スタンドに関する。
【背景技術】
【０００２】
近年、液晶表示装置などの薄型の画像表示装置を使用したテレビジョン受像機が、普及しつつある。このような薄型の画像表示装置の場合には、いわゆる壁掛け型として、壁などに直接取り付ける場合を除いて、スタンドを取り付けて、表示装置を自立できるように設置するのが一般的である。
【０００３】
特許文献１には、薄型の画像表示装置にスタンドを取り付ける場合の一例についての開示がある。
【特許文献１】特開平１０−１６１５５２号公報
【発明の開示】
【発明が解決しようとする課題】
【０００４】
図１０は、従来のこの種の薄型の画像表示装置をスタンドに取り付けた場合の一例を示した図である。この例では、室内の床の上に直接配置される、いわゆるフロアスタンドを取り付けた例としてある。液晶ディスプレイで構成される薄型の画像表示装置１は、フロアスタンドの直立した支柱２の先端に固定させてある。支柱２の下端には、十字状に４本の足部３が固定してある。支柱２と足部３との固定状態としては、４本の足部３が十字状に交差した部分に、支柱２の下端が固定してある。各足部３の先端には、キャスタ４が取り付けてあり、表示装置を持ち上げることなく、床の上を自在に移動させることができるようにしてある。
【０００５】
この図１０に示した如き従来の形状のフロアスタンドの場合、使い方によっては、足部３が非常に邪魔になる問題があった。即ち、例えば図１０に示した如きフロアスタンドが取り付けられた画像表示装置を、部屋のコーナーに配置した場合、画像表示装置１の後方に位置する足部３が、部屋の壁に接触してしまい、部屋のコーナーよりも手前に、配置せざるを得ない状況になって、スペースの利用効率が悪い問題があった。また、テーブルコーナーやベッドサイドコーナーにぴったり近くまで寄せて設置しようとしても、４本の足部の何れかが邪魔になって、コーナーから離して設置せざるを得ない状況が多々あった。
【０００６】
さらに、テーブルコーナーやベッドサイドコーナーなどに寄せて設置した場合、画像表示装置１の後方に位置する足部３が室内に突出してしまい、室内を歩く際に、その足部に歩行者の足が引っ掛かる可能性があり、非常に邪魔であった。
【０００７】
また、図１０に示した如きキャスタ付のフロアスタンドが取り付けてあれば、室内を移動させることは容易にできるが、電源コードが設置状況によっては邪魔になる問題があった。即ち、室内のどこにでも移動できるようにするためには、例えば数ｍ程度の比較的長い電源コードを画像表示装置１に接続しておく必要がある。ところが、例えば長い電源コードを接続した状態で、電源コンセントの近くの壁の手前に配置した場合には、その長い電源コードが余った状況になって、電源コードの処置に困る問題があった。
【０００８】
本発明はかかる点に鑑みてなされたものであり、スペース効率が良い状態で室内などに設置できるとともに、電源コードなどが邪魔にならない表示装置用のスタンドを提供することを目的とする。
【課題を解決するための手段】
【０００９】
本発明は、表示装置を保持する表示装置用スタンドにおいて、表示装置がほぼ上端部に取り付けられる支柱と、ほぼＶ字形状をして、中間部で支柱をほぼ直立状態に保持し、支柱に取り付けられた表示装置の表示面側である手前側に、ほぼＶ字形状の一端及び他端が位置するベース部と、ベース部の複数箇所に配置されたキャスタとを備えた形状としたものである。
【００１０】
このようにしたことで、ほぼＶ字形状のベース部で支柱を支えるので、ほぼ２本の足で支える状態となり、表示装置の後方にベース部を突出させない状態で表示装置を支持できる。
【発明の効果】
【００１１】
本発明のスタンドを使用することで、表示装置の後方にベース部を突出させない状態で表示装置を配置することができ、部屋のコーナーなどに配置させた場合に、スペース効率上、無駄のない配置が可能になるとともに、様々な設置状況で、ベース部が邪魔にならない設置が可能になる。
【００１２】
この場合、ほぼＶ字形状のベース部には、電源コードの巻き取りリールを配置したことで、スタンド内で電源コードを巻き取り収納させることができ、使用状況によって必要な長さだけコードを引き出して使うことで、スタンドを何処に移動させて使用しても電源コードが邪魔にならない効果を有する。
【００１３】
また、巻き取りリールに取り付けられた電源コードに接続された電源コンセントを備えたことで、表示装置などに取り付けられた電源コードを簡単に接続させることができる。
【００１４】
また、支柱の背面側に、表示装置に接続されたコードを保持する溝部を備えたことで、表示装置に接続された電源コードやその他のコードを、支柱に目立たない状態で配置でき、設置時の見栄えが良くなる。
【００１５】
また、このようにコードを保持する溝部を備えた場合に、その溝部に保持されたコードが、溝部から外れるのを阻止する規制部材を設け、規制部材の表面に、さらに別のコードの保持部を形成したことで、多数のコードを表示装置に接続する必要がある場合でも、それぞれのコードを支柱の背面側に良好に配置できるようになる。
【００１６】
さらに、ベース部のほぼＶ字形状の一端と他端との間の空間に配置され、支柱に支持される棚を設けたことで、棚が良好な位置に配置されるようになる。
【発明を実施するための最良の形態】
【００１７】
以下、本発明の一実施の形態を、図１〜図９を参照して説明する。
【００１８】
本例においては、液晶画像表示装置で構成されるテレビジョン受像機を支持する表示装置用スタンドとしたものである。図１〜図３は、本例のスタンドをテレビジョン受像機に取り付けた状態を示す図で、図１は斜視図、図２は正面図、図３は側面図である。
【００１９】
テレビジョン受像機１０は、比較的大型（例えば画面の対角線の長さが約２０インチ程度）の液晶画像表示部１１を備えた薄型の表示装置としてある。図１及び図２に示すように、表示部１１の下端には、左右のスピーカ装置１２Ｌ，１２Ｒが内蔵させてあり、さらにテレビジョン受像機１０を構成する筐体の中央の下端には、赤外線発光部１３が配置してある。この赤外線発光部１３は、コードレスヘッドホンなどに赤外線でオーディオ信号を無線伝送するためのものである。なお、以下の説明では、画像表示部１１が配置された側を正面側と称し、反対側を背面側と称する。
【００２０】
なお、本例のテレビジョン受像機１０は、チューナなどが内蔵されたベースユニット（図示せず）が別に用意されて、そのベースユニットと無線通信を行う構成としてあり、映像データ及びオーディオデータをベースユニットから最大で数十ｍ程度の距離無線伝送するようにしてある。ベースユニットとの無線通信としては、例えば無線ＬＡＮ(local area network)用に実用化されているＩＥＥＥ（The Institute of Electrical and Electronics Engineers ）８０２．１１方式として規格化された各種方式が適用可能である。但し、テレビジョン受像機１０本体にも映像データやオーディオデータの入力端子は設けてあり、ビデオディスク再生装置やビデオゲーム機器などを直接接続することも可能な構成としてある。このようにベースユニットとテレビジョン受像機１０本体とが無線伝送を行う構成としてあることで、テレビジョン受像機１０に直接アンテナ線などを接続する必要がなく、ベースユニットと無線通信が可能な範囲内である限りは、テレビジョン受像機１０に電源コードだけを接続させれば、テレビジョン放送などの視聴が可能であり、視聴者が視聴したい様々な場所に移動させて、視聴することが可能になる。
【００２１】
テレビジョン受像機１０に取り付けられるスタンド２０としては、床などの上に直接設置されるフロアスタンドとしてある。本例のフロアスタンド２０は、ほぼ直立して配置された支柱２１と、その支柱２１を支えるベース部２３とを主な構成部材としてあり、ベース部２３については、ほぼＶ字形状としてあり、そのＶ字形状のベース部２３の中央部２３ｃ（即ちＶ字形状とするために折れ曲がっている部分）に、円形のコードリール取り付け部材２４を介して、支柱２１が固定される形状としてある。コードリール取り付け部材２４については後述する。
【００２２】
ベース部２３には、４個のキャスタ２５が取り付けてあり、フロアスタンド２０を転がすことができる構成としてある。本例の場合には、ほぼＶ字形状のベース部２３の一端２３ａ及び他端２３ｂに、１個ずつキャスタ２５が取り付けてあるとともに、Ｖ字形状に折れ曲がった中央部２３ｃに２個のキャスタ２５が取り付けてある。各キャスタ２５には、ストッパを設けてもよい。
【００２３】
支柱２１は、図３に示すように、ベース部２３との接続部から手前側に斜めに傾斜させた状態で固定させてあり、先端に取り付けられるテレビジョン受像機１０が若干手前になるようにして、スタンド２０で支持する場合の重量バランスをとるようにしてある。支柱２１については、その上側に補助支柱２２が取り付けてあり、補助支柱２２が支柱２１内に入る長さを調節することで、補助支柱２２の上端に取り付けられたテレビジョン受像機１０の高さを調整できる構造としてある。補助支柱２２の高さは、図３に示したように、支柱２１の先端の背面に取り付けられた固定ネジ２６による締め付けで固定される。支柱２１内では、補助支柱２２を支える機構として、何らかのバネやダンパ、或いはガススプリング機構などを設けて、補助支柱２２をスムーズに上昇及び下降させるようにしてもよい。
【００２４】
テレビジョン受像機１０は、背面側で後述する固定金具５０を介して補助支柱２２の先端に固定させる構成としてある。この場合、図３に示すように、テレビジョン受像機１０の下端寄りの支点ｘを回動中心として、受像機１０を斜め手前に傾斜させた状態（１０ａとして示す位置）や、受像機１０を斜め後方に傾斜させた状態（１０ｂとして示す位置）に動かすことができる構成としてある。
【００２５】
支柱２１の下端部には、棚３０が取り付けてある。この棚３０は、例えばガラス製の棚板３１と、その棚板３１を支えるとともに支柱に固定される固定金具３２とで構成される。図４に分解して示すように、棚３０は、固定金具３２の一端３２ａを、支柱２１の下端部にネジ３３（図３参照）によるネジ止めで固定されるようにしてある。固定された状態では、図１に示すように、ほぼＶ字形状のベース部２３の一端２３ａと他端２３ｂとの間に形成される空間内に、棚３０の大部分が収まるような位置関係としてある。この棚３０は、スタンド２０の組み立て時に使用するか否かが選択できるようにしてある。
【００２６】
ほぼＶ字形状のベース部２３の中央部２３ｃに固定される、円形のコードリール取り付け部材２４には、下側にほぼ円形の空間が設けてあり、図４に示すように、その円形の空間に、コードリール４０がネジ止めなどで固定される。コードリール４０は、電源コード４２が巻き取られて収納される円形部４１と、その円形部４１の下部に取り付けられたコンセント取り付け部４３とを有し、コンセント取り付け部４３に２個の電源コンセント４４が設けてある。コードリール４０内には、バネなどで電源コード４２を巻き取る機構が内蔵され、電源コード４２を引き出した際には、その引き出された状態が維持される構成としてある。電源コード４２としては、例えば数ｍの長さのものが使用される。
【００２７】
このようなコードリール４０が取り付けてあることで、コードリール４０から引き出された電源コード４２のプラグを、室内の図示しない電源コンセントに差込み、後述するテレビジョン受像機１０の電源コード６０のプラグ６２を、コードリール４０の電源コンセント４４に差込むことで、テレビジョン受像機１０に電源を供給するための接続が行える。なお、コンセント取り付け部４３のもう１つの電源コンセント４４には、例えば棚３０に載せた機器（図示せず）の電源コードを差込むことができる。
【００２８】
また、図４に示すように、補助支柱２２の上端の背面側には、段差部２２ａが設けてあり、その段差部２２ａに、テレビジョン受像機の固定金具５０のスタンド側部材５１をネジ止めできるようにしてある。固定金具５０のスタンド側部材５１は、受像機側部材５２と回動軸ｘを介して若干回動できるように接続させてあり、既に図３を参照して説明したように、受像機１０本体を前後に傾斜させることができる。
【００２９】
図５に示すように、固定金具５０の受像機側部材５２は、テレビジョン受像機１０の背面の下端の中央に、ネジ止めなどで固定される。テレビジョン受像機１０の背面側には、電源端子１４などの各種端子を備える。電源端子１４には、この受像機１０の電源コード６０の一端のプラグ６１が接続される。この電源コード６０の他端のプラグ６２は、既に説明したコードリール４０の電源コンセント４４に差込む。
【００３０】
本例においては、このように接続させたテレビジョン受像機１０の電源コード６０を、フロアスタンド２０の支柱２１及び補助支柱２２の背面側に収納して、表面側にはコードが見えないようにしてある。即ち、図５に示すように、支柱２１の背面側には、支柱２１の長手方向に溝部２１ａが形成させてあり、補助支柱２２の背面側には、支柱２２の長手方向に溝部２２ｂが形成させてあり、これらの溝部２１ａ及び２２ｂに、電源コードなどのコードを収めることができるようにしてある。
【００３１】
図６は、電源コードなどを収納した状態の例を示した図である。この例では、テレビジョン受像機１０の電源コード６０のプラグ６１の他に、映像データ及びオーディオデータを伝送するＡＶ用コード７０の一端のプラグ７１をテレビジョン受像機１０の背面に接続させてあり、それぞれのコード６０，７０を、支柱２１及び補助支柱２２の背面側の溝部２１ａ及び２２ｂに収めるようにしてある。この場合、支柱２１の溝部２１ａからコード６０，７０が出ないように、溝部２１ａの途中に複数個の規制部材８０を嵌めるようにしてある。規制部材８０は、例えば合成樹脂で形成されて、溝部２１ａに蓋をする形状としてある。ＡＶ用コード７０の他端側は、支柱２１の下端部で溝部２１ａの外に引き出して、棚３０に載せられたビデオゲーム機器９０の背面の映像信号用の端子及びオーディオ信号用の端子にプラグ７２を接続するようにしてある。
【００３２】
図７は、支柱２１及び補助支柱２２の背面側でのコードの収納状態を拡大して示す図である。テレビジョン受像機１０と補助支柱２２とを接続する固定金具５０のスタンド側部材５１の背面には、コード止め具５３が取り付けてあり、そのコード止め具５３内に各コード６０，７０を通過させて、コード止め具５３の蓋５３ａを閉じることで、各コード６０，７０が受像機側の背面で保持される。
【００３３】
この状態で、各コード６０，７０を補助支柱２２の背面側の溝部２２ｂに収めるとともに、支柱２１の背面側の溝部２１ａに収め、さらに溝部２１ａの途中に規制部材８０を嵌めて、溝部２１ａからコードが外れないようにすることができる。
【００３４】
本例の規制部材８０については、支柱２１の溝部２１ａに嵌合する突起８１，８２が、裏面側に形成させてあるとともに、表面側にもコード保持用突起８３，８４が形成させてある。用意されたコードが図７に示すように全て溝２１ａに収まる場合には、コード保持用突起８３，８４を使用する必要はないが、さらに別のコードを通過させる必要があり、一部のコードが溝２１ａに収まらない場合には、その収まらないコードを、規制部材８０のコード保持用突起８３，８４で形成される空間内に配置することで、各コードがスタンド２０の背面側に良好に保持されるようになる。テレビジョン受像機１０は、使用状態によっては多数のコードが同時に接続される場合があるので、このように多数のコードが良好に保持できるようにした点は、重要である。
【００３５】
以上説明したフロアスタンド２０によると、薄型のテレビジョン受像機１０を良好に保持できるとともに、設置状況を良好にすることができる。即ち、例えば図８に示すように、部屋のコーナーにフロアスタンド２０に取り付けられたテレビジョン受像機１０を設置させた場合には、ほぼＶ字形状のベース部２３の中央部２３ｃ（曲折部）が部屋のコーナーに位置するようになり、スタンドの足に相当するベース部２３が、支柱よりも後方に突出してなく、部屋のコーナーにスペース効率良く収まるようになる。また、電源コード４２についても、コードリール４０から必要な長さだけ引き出して、壁の電源コンセント９９に接続させることで、必要以上の長さのコードが室内に配置されることがなく、コードが邪魔にならないとともに、室内の設置状況が整然となる効果を有する。
【００３６】
なお、本例のフロアスタンド２０は、図８に示したような設置状況で、テレビジョン受像機１０の高さや前後の傾斜角を調整できるので、視聴者が見やすい状況に簡単に調整できる。
【００３７】
そして、別の場所に移動させて視聴したい場合にも、ベース部２３にキャスタ２５が取り付けてあるので、簡単に移動させることができるとともに、ベース部２３をほぼＶ字形状としてあることで、スタンドの足に相当するベース部２３が邪魔にならない状態で、良好に配置させることができる。例えば、図９に示すように、テーブルの奥にテレビジョン受像機１０を配置させた場合、そのテレビジョン受像機１０を支えるフロアスタンド２０のベース部２３が、テーブルの下側に位置するようになり、ベース部２３がテーブルの下側から大きく突出することがなく、従来のようにフロアスタンドの足が邪魔になることがない。図１０に示した従来のスタンドの場合には、どのように設置しても、テーブルの下側から足が大きく突出してしまい、本例のフロアスタンド２０の如き良好な設置状況にはならない。
【００３８】
図９では電源コードについては示していないが、そのときの電源コンセントの位置に応じて、必要な長さだけコードリール４０からコードを引き出して接続させればよく、電源コードが邪魔にならない。
【００３９】
或いは、図面には示さないが、例えばベッドサイドコーナーなどに寄せて設置した場合にも、ベッドのコーナーにほぼＶ字形状のベース部２３が良好に収まり、邪魔にならない設置状況とすることができる。
【００４０】
また、いずれの設置状況でも、テレビジョン受像機１０本体とフロアスタンド２０側の電源コード４２とを接続する電源コード６０などのコードについては、支柱２１の背面側に保持されているので、コードが目立たず、良好な設置状態とすることができる。
【００４１】
図８、図９の例では、棚３０を外した状態を示してあるが、図１から図３に示した棚３０を取り付けて、その棚３０の上にディスク再生装置などの映像機器やテレビゲーム機器などを置いて、テレビジョン受像機１０と接続させたままで、ユーザが視聴する場所に移動させることができ、使い勝手がよい。この場合、本例の棚３０は、ほぼＶ字形状のベース部２３の一端２３ａと他端２３ｂとの間に形成される空間内に、大部分が収まるような位置関係としてあり、ベース部２３が邪魔にならないような図８や図９に示したような設置で、棚３０（及びその棚に載せられた機器）についても邪魔にならない状態で配置される。
【００４２】
なお、ここまで説明した実施の形態では、液晶表示装置で構成されるテレビジョン受像機を支持（保持）するスタンドに適用したが、その他の構成の表示装置用のスタンドにも適用可能であることは勿論である。
【図面の簡単な説明】
【００４３】
【図１】本発明の一実施の形態によるスタンドに受像機を取り付けた状態の構成例を示す斜視図である。
【図２】本発明の一実施の形態によるスタンドに受像機を取り付けた状態の構成例を示す正面図である。
【図３】本発明の一実施の形態によるスタンドに受像機を取り付けた状態の構成例を示す側面図である。
【図４】本発明の一実施の形態によるスタンドを一部分解して示す斜視図である。
【図５】本発明の一実施の形態によるスタンドの背面側を示す斜視図である。
【図６】本発明の一実施の形態によるスタンドのコード配置例を示す斜視図である。
【図７】本発明の一実施の形態によるスタンドの要部を拡大して示す斜視図である。
【図８】本発明の一実施の形態によるスタンドの配置例を示す説明図である。
【図９】本発明の一実施の形態によるスタンドの別の配置例を示す説明図である。
【図１０】従来の表示装置用スタンドの例を示す説明図である。
【符号の説明】
【００４４】
１０…テレビジョン受像機、１１…画像表示部、１２Ｌ，１２Ｒ…スピーカ、１３…赤外線発光部、２０…フロアスタンド、２１…支柱、２１ａ…溝部、２２…補助支柱、２２ｂ…溝部、２３…ベース部、２４…コードリール取り付け部材、２５…キャスタ、３０…棚、４０…コードリール、４１…円形部、４２…電源コード、４３…コンセント取り付け部、４４…コンセント、５０…固定金具、６０…電源コード、７０…ＡＶ用コード、８０…規制部材、９０…ビデオゲーム機器
【図１】
2006030913.tif 000003
【図２】
2006030913.tif 000004
【図３】
2006030913.tif 000005
【図４】
2006030913.tif 000006
【図５】
2006030913.tif 000007
【図６】
2006030913.tif 000008
【図７】
2006030913.tif 000009
【図８】
2006030913.tif 000010
【図９】
2006030913.tif 000011
【図１０】
2006030913.tif 000012